(57)【要約】【課題】股部を有する衣類における裾廻りの過度の圧迫を防いで着用感に優れると共に、歩行時においては、下尻をしっかりカバーしてズレ下がりによるハミ尻などが生じない股部を有する衣類を提供する。【解決手段】前身頃１と左右脇身頃６，７と裾身頃２２，２３とから構成される股部を有する衣類である。裾口廻り２０，２１に、幅方向に二つ折りされた裾身頃２２，２３の重合片側を縫着ラインとして、上端凹弧状面２６，２７の部位を前身頃１の凹状湾曲面５，５の部位に、上部凸弧状面２８，２９の部位を前身頃１の側辺４，４と脇身頃６，７の内側辺８，９の下端部４ａ，８ａ、４ａ，９ａと一致させ、緩やかな凹弧状面３０，３１の部位を脇身頃６，７の緩やかな凹凸弧状面１４，１５の部位に、下部細幅部３２，３３の部位を脇身頃６，７の深い凹弧状面１６，１７の部位に、下端部３４，３５を前身頃１の下辺部３にそれぞれ合致させて縫着する。【選択図】図４
2010084292.tif 000002
【特許請求の範囲】
【請求項１】
前身頃と左右脇身頃と裾身頃とから構成される股部を有する衣類であって、前身頃の両側下辺部を凹状湾曲面とし、左右脇身頃の下辺を緩やかな凹凸弧状面と深い凹弧状面と傾斜面に形成し、該傾斜面を前身頃の下辺部に縫着して裾口廻りを形成すると共に、上端凹弧状面、上部凸弧状面、緩やかな凹弧状面並びに下部細幅部からなる二つ折りされた裾身頃の重合片側を縫着ラインとし、上端凹弧状面の部位を前身頃の凹状湾曲面の部位に、上部凸弧状面の部位を前身頃の側辺と脇身頃の内側辺の下端部と一致させ、緩やかな凹弧状面の部位を脇身頃の緩やかな凹凸弧状面の部位に、下部細幅部の部位を脇身頃の深い凹弧状面の部位に、下端部を前身頃の下辺部にそれぞれ合致させて縫着したことを特徴とする股部を有する衣類。
【請求項２】
前記前身頃、左右脇身頃、裾身頃はそれぞれ伸縮性及び弾力性に優れているベア天竺で編成されていることを特徴とする請求項１に記載の股部を有する衣類。
【発明の詳細な説明】
【技術分野】
【０００１】
本発明は、ショーツやショーツガードル、ショートガードルなどの裾口廻りに接ぎを入れて大腿部への圧迫感や喰いこみをなくしフィットすると共に、裾口のずり上がりによるハミ尻などをなくした履き心地が良好で美しいヒップラインを現出できる股部を有する衣類に関するものである。
【背景技術】
【０００２】
従来のショーツ５０は、例えば、図６の展開図に示すように、腹部を覆う前身頃５１と、臀部を覆う後身頃５２と、股間を覆うマチ布５３とからなり、前身頃５１および後身頃５２を両側縁で縫着すると共に、前身頃５１および後身頃５２の下端中心部にマチ布５３の両端部をそれぞれ縫着して構成されており、前身頃５１および後身頃５２は主として横方向に伸縮性良好な生地によって形成されている。
【０００３】
上記のショーツ５０は、前身頃５１および後身頃５２が横方向に伸縮性良好な生地によって形成されており、着用後はヒップにフィットしているが、座ったり、立ったり、屈んだり、歩いたりする日常生活の色々な動きの中で生地が横方向に引っ張られた場合、生地が伸びてヒップにフィットするが、縦方向に引っ張られた場合、横方向よりも伸縮性が悪いため、ずり上がってしまうことがある。すなわち、ヒップは緩やかに丸く隆起しており、ヒップトップからその下部にかけてよく動き形も変化し、その動きに応じてフィットせず浮くため、ヒップ下部の裾廻りが次第にずり上がっていき、ヒップに喰い込んでハミ尻となり、着用者に不快感を与えると共に、ヒップラインが崩れるといった問題があった。
【０００４】
そこで、ずり上がりを防ぐため、裾口廻り５４の周縁に沿って伸縮テープ（図示せず）を裏打ちすることにより、一定の締め付け力を得て裾口廻り５４がずり上がらないように安定化を図っているが、伸縮テープの縫着により裾口廻り５４が厚くて硬くなり、大腿部に喰い込み圧迫感が強くなり着用感に優れなかった。
【０００５】
そのような問題点を解消するものとして、裾口廻りに伸縮性に富んだ二重生地使いのテープ生地を縫着したものが知られている（例えば、特許文献１参照）。また、別のものとして、裾口が大腿部の肌に喰いこまないように、Ｖカットのストレッチレースをガードルの裾口に入れたり、裾口全体をナイロンラッセル等のストレッチレースにしたりしているものが提案されている（例えば、特許文献２参照）。
【０００６】
【特許文献１】特公平４−７８７２１号公報
【特許文献２】特許第３２９０５６２号公報
【発明の開示】
【発明が解決しようとする課題】
【０００７】
しかし、上記特許文献１のものは、二重生地使いのテープ生地を両裾口廻りに縫着するのでテープ生地が分厚くなり、肌に当たってゴロつき感が生じると共に、厚みによる段差が生じ、その段差がアウターに反映され、アウターの外側から段差が見えてしまい着用者の外観を著しく低下させるという問題点があった。また、上記特許文献２のものは、裾口が捲れ上がったりすることから、着用安定感があまりよくないという問題点があった。
【０００８】
本発明は、上記のような問題を解決することを課題として研究開発されたもので、ショーツやショーツガードル、ショートガードルなど股部を有する衣類における裾口廻りに接ぎを入れ、当たりを柔らかくして鼠蹊部への喰いこみをなくすると共に、フィット感がよくなり、日常生活での色々の動きにおいても、下尻をしっかりカバーしてずり上がりによるハミ尻などが生じないようにした股部を有する衣類を提供することを目的とするものである。
【課題を解決するための手段】
【０００９】
上記の課題を解決し、その目的を達成する手段として、本発明は、前身頃と左右脇身頃と裾身頃とから構成される股部を有する衣類であって、前身頃の両側下辺部を凹状湾曲面とし、左右脇身頃の下辺を緩やかな凹凸弧状面と深い凹弧状面と傾斜面に形成し、該傾斜面を前身頃の下辺部に縫着して裾口廻りを形成すると共に、上端凹弧状面、上部凸弧状面、緩やかな凹弧状面並びに下部細幅部からなる二つ折りされた裾身頃の重合片側を縫着ラインとし、上端凹弧状面の部位を前身頃の凹状湾曲面の部位に、上部凸弧状面の部位を前身頃の側辺と脇身頃の内側辺の下端部と一致させ、緩やかな凹弧状面の部位を脇身頃の緩やかな凹凸弧状面の部位に、下部細幅部の部位を脇身頃の深い凹弧状面の部位に、下端部を前身頃の下辺部にそれぞれ合致させて縫着したことを特徴とする股部を有する衣類を開発し、採用した。
【００１０】
また、本発明では、上記のように構成した股部を有する衣類において、前記前身頃、左右脇身頃、裾身頃はそれぞれ伸縮性及び弾力性に優れているベア天竺で編成されていることを特徴とする股部を有する衣類を開発し、採用した。
【発明の効果】
【００１１】
本発明は、前身頃の両側下辺部を凹状湾曲面とし、左右脇身頃の下辺を緩やかな凹凸弧状面と深い凹弧状面と傾斜面に形成し、該傾斜面を前身頃の下辺部に縫着して裾口廻りを形成し、該裾口廻りに、二つ折りされた裾身頃の重合片側を縫着ラインとし、前身頃の凹状湾曲面の部位に、裾身頃の上端凹弧状面の部位を、前身頃の側辺と脇身頃の内側辺の下端部に、上部凸弧状面の部位を一致させ、脇身頃下辺の緩やかな凹凸弧状面部の部位に、裾身頃の緩やかな凹弧状面の部位を、脇身頃の深い凹弧状面の部位に、裾身頃の下部細幅部の部位を、下端部を前身頃の下辺部にそれぞれ合致させて縫着したものであるから、裾口廻りのラインと裾身頃によるラインの異なりにより、身体に沿うパターンに仕上がり裾身頃が立体的になり太股部によく馴染みフィット感が増すと共に、締め付け感や窮屈感がなくなり履き心地が良好になる。
【００１２】
また、裾身頃が前身頃と左右脇身頃と同じベア天竺で編成されているから、全面にわたって同一の伸縮性となり、違和感がなく肌当たりがソフトであって、身体の一部が締め付けられたりすることがなくなる。また裾身頃は二つ折りされていてもベア天竺で編成されているから、硬直感がなく伸縮性、弾力性に富み大腿部にフィットする。
【００１３】
さらに、裾口廻りのラインと裾身頃との縫い合わせるラインが異なっており、縫い合わせると、裾身頃に角度が生じて裾口が前向きになり、歩行時や椅子に座って足が前向きに動いた際にでも、裾口廻りのずり上がりによるお尻への喰いこみがなく、下尻をしっかりカバーしているのでハミ尻を防止でき、ヒップラインを崩すことがなくなる。
【発明を実施するための最良の形態】
【００１４】
以下に、本発明の実施の形態をショーツの例で説明すれば、図１はショーツの正面図、図２はショーツの背面図、図３はショーツの右側面図、図４はショーツの展開図、図５は裾身頃を二つ折りした正面図である。
【００１５】
１は細い綿糸とポリウレタン糸との混合糸または細い綿糸とポリウレタン糸とナイロン糸との混合糸により伸縮性と弾力性に富むようベア天竺編みされた腹部を覆う前身頃であり、上辺２と、下辺３と、下方に至るに従い徐々に拡がる傾斜状の左右両側辺４，４と、その両側辺４，４に連設し内方に向かって浅い凹状湾曲面５，５に形成されている。
【００１６】
６，７は前身頃１と同じベア天竺編みされた側腹部から臀部を覆う左右一対の脇身頃であり、前記前身頃１の左右両側辺４，４と接ぐ内側辺８，９および臀部の形状に沿う曲線の外側辺１０，１１を後部中心で縫合すると共に、前身頃１の左右両側辺４，４と脇身頃６，７の内側辺８，９の下端部４ａ，８ａ、４ａ，９ａから外側辺１０，１１の下端部１０ａ，１１ａまでの下辺１２，１３を、緩やかに傾斜する凹凸弧状面１４，１５と、小さくて深い凹弧状面１６，１７と、傾斜面１８，１９に裁断形成されてあり、該傾斜面１８，１９を前身頃１の下辺部３に縫着して裾口廻り２０，２１を形成してある。
【００１７】
２２，２３は前記前身頃１と脇身頃６，７と同じベア天竺編みで編成された長手状の裾身頃であり、図４の展開図に示すように、浅いＶ字状に形成された上端部２４，２５の両側から下端に向かって凹弧状面２６，２６、２７，２７が形成されており、その上端凹弧状面２６，２６、２７，２７に連設する外方に突出する上部凸弧状面２８，２８、２９，２９が設けられ、その上部凸弧状面２８，２８、２９，２９に繋がる緩やかな凹弧状面３０，３０、３１，３１が形成されていると共に、下方に向かって次第に窄まり下部細幅部３２，３２、３３，３３を経て浅い逆Ｖ字状の下端部３４，３５に連なっている。この裾身頃２２，２３は、図５に示すように、幅方向の中央部を長さ方向に沿って二つ折りされたもので、最大幅の上部凸弧面２８、２９が約６０〜７０ｍｍ、最小幅の下部細幅部２９，２９が約２０〜２２ｍｍになっている。              
【００１８】
このように構成された本発明の実施形態におけるショーツの縫製手段と作用を説明すれば、図４の展開状態から、裾身頃２２，２３を、図５に示すように、幅方向の中心を長さ方向に二つ折りして外側３６，３７を直線状とすると共に、内側３８，３９の重なり合う側が縫着ラインになる。
【００１９】
すなわち、上端部２４，２５を前身頃１の下辺３に縫着し、上端凹弧状面２６，２７の部位を、前身頃１の凹状湾曲面５，５の部位に、上部凸弧状面２８，２９の部位を、前身頃１の両側辺４，４と脇身頃６，７の内側辺８，９の下端部４ａ，８ａ、４ａ，９ａと一致させ、緩やかな凹弧状面３０，３１の部位を、脇身頃６，７の下辺１２，１３の緩やかな凹凸弧状面１４，１５の部位に、下部細幅部３２，３３の部位を、脇身頃６，７の深い凹弧状面１６，１７の部位に合致させ、さらに裾身頃２２，２３の下端部３４，３５を前身頃１の下辺３にそれぞれ合致させて縫着させることにより、裾口廻り２０，２１に裾身頃２２，２３が縫着されてショーツになる。
【００２０】
裾口廻り２０，２１に縫製された裾身頃２２，２３は、ベア天竺で編成されており、伸縮性、弾力性に富み、前身頃１の左右両側辺４，４と脇身頃６，７の内側辺の下端部４ａ，８ａ、４ａ，９ａで裾廻り部が最大広幅になり、左右脇身頃６，７の下辺１２，１３の傾斜面１８，１９で最小幅となる裾身頃２２，２３が縫製され、鼠蹊部への喰い込み圧迫感がなくなり着用感に優れる。
【００２１】
また、裾口廻り２０，２１に形成される縫着ラインの凹状湾曲面５，５と、前身頃の側辺４，４と脇身頃６，７の内側辺８，９の下端部４ａ，８ａ、４ａ，９ａと、緩やかな凹凸弧状面１４，１５と、深い凹弧状面１６，１７と、傾斜面１８，１９と、裾身頃２２，２３の縫着ラインの上端凹弧状面２６，２７と、上部凸弧状面２８，２９と、緩やかな凹弧状面３０，３１と、下部細幅部３２，３３の縫い合わせラインがそれぞれ異なることにより、前身頃１および脇身頃６，７と裾身頃２２，２３との間に角度が生じて裾身頃２２，２３が立ち上がった状態になって図３に示すように、裾口が前方に向くことになり、歩行時や椅子に座って足が前向きに動いたとしても、裾口のずり上がりによるお尻への喰いこみがなく、下尻をしっかりカバーしているのでハミ尻を防止できる。さらに、太股部のラインに沿うことになり足を動かしても肉がにげないのでハミ尻になることがない。また、左右の裾身頃間の間隔が比較的広くなっているので、動いても内側に片寄ったりせず下尻をしっかりカバーでき、美しいヒップラインを現出する。
【００２２】
以上、本発明の実施の形態についは、ショーツで、前身頃と左右脇身頃を別体とした例で説明したが、連続した一連の場合でもよく、また左右脇身頃を後部中心線で縫製するようにしたが、この左右脇身頃においても、連続した一枚の生地の場合でも良いのは勿論のことであり、かつショーツガードル、ショートガードル、ボディスーツなどでもよく、要するに発明の目的を達成でき、かつ発明の要旨を逸脱しない範囲内において種々の設計変更が可能であることは言うまでもない。
【産業上の利用可能性】
【００２３】
本発明は、日常生活での色々な動作によって生じるショーツなどのずり上がりによるハミ尻を防止でき、美しいヒップラインを現出すると共に、裾口廻りによる大腿部への喰い込みや圧迫感を生じさせない履き心地が良好なショーツ、ショーツガードル、ショートガードル、ボディスーツなどの股部を有する衣料に好適に利用できる。
【図面の簡単な説明】
【００２４】
【図１】ショーツの正面図である。
【図２】ショーツの背面図である。
【図３】ショーツの側面図である。
【図４】ショーツの展開図である。
【図５】裾身頃の平面図である。
【図６】従来のショーツの展開図である。
【符号の説明】
【００２５】
１              前身頃        
５              凹状湾曲面
６，７          脇身頃  
１２，１３      下辺
１４，１５      緩やかな凹凸弧状面
１６，１７      深い凹状弧面
１８，１９      傾斜面
２０，２１      裾口廻り
２２，２３      裾身頃
２６，２７      上端凹弧状面
２８，２９      上部凸弧状面
３０，３１      緩やかな凹弧状面
３２，３３      下部細幅部
３４，３５      下辺部
【図１】
2010084292.tif 000003
【図２】
2010084292.tif 000004
【図３】
2010084292.tif 000005
【図４】
2010084292.tif 000006
【図５】
2010084292.tif 000007
【図６】
2010084292.tif 000008